(57)【要約】      （修正有）【課題】簡易な機構によって風にはためくように動く屋内設置用の小型ののぼり旗を提供する。【解決手段】のぼり旗１は、支柱２と、横軸部材３と、横軸部材の端部に配置されて横軸部材を支柱の上部に配置する支柱取付部材４と、支柱と横軸部材とに取り付けられる旗部５と、を備える。支柱は、径の大きい支柱下部２１と径の小さい支柱上部２２との間に段差２３が設けられ、上端部に磁石６ａが固定されている。支柱取付部材は、支柱上部の少なくとも一部を覆うカバー部４１と、カバー部に収容された磁石６ｂと、を備える。支柱の上端部の磁石と支柱取付部材の磁石は、同じ磁極が向かい合って対をなすように配置され、反発力によって磁石間に空間が形成されている。【選択図】図１
0003229707.tif 000002
【実用新案登録請求の範囲】
【請求項１】
支柱と、
前記支柱と直交するように取り付けられる横軸部材と、
前記横軸部材の端部に配置されて、前記横軸部材を前記支柱の上部に配置する支柱取付部材と、
前記支柱と前記横軸部材とに取り付けられる旗部と、
を備えるのぼり旗であって、
前記支柱は、径の大きい支柱下部と径の小さい支柱上部との間に段差が設けられており、上端部に磁石が固定されており、
前記支柱取付部材は、前記支柱上部の少なくとも一部を覆うカバー部と、当該カバー部に収容された磁石と、を備えており、
前記支柱の上端部の前記磁石と前記支柱取付部材の前記磁石とは、同じ磁極が向かい合って対をなすように配置されており、対をなした前記磁石の反発力によって前記支柱の上端部の前記磁石と前記支柱取付部材の前記磁石との間に空間が形成されていることを特徴とするのぼり旗。
【請求項２】
前記支柱取付部材は、前記カバー部に嵌め合わされて、前記横軸部材を支持するヘッド部をさらに備えており、前記ヘッド部の下端部に前記磁石が固定されており、
前記カバー部は前記支柱上部を覆う円筒形状を有しており、前記カバー部の外径が、前記支柱下部の直径と同一に形成されていることを特徴とする請求項１記載ののぼり旗。
【請求項３】
前記支柱は、長さが２００〜５００ｍｍ、支柱下部の直径が５ｍｍ〜１２ｍｍ、支柱上部の直径が４ｍｍ〜１０ｍｍの断面円形の支柱であり、
前記旗部は、長さ１５０ｍｍ〜４５０ｍｍ、幅５０〜２００ｍｍの長方形であることを特徴とする請求項１または２記載ののぼり旗。
【考案の詳細な説明】
【技術分野】
【０００１】
本考案は、のぼり旗に関する。特に、屋内で使用する小型ののぼり旗に関する。
【背景技術】
【０００２】
様々な形状の旗を備えたのぼり旗が知られている。一般的なのぼり旗は、高さ２メートル前後の支柱と、支柱から垂直に突き出した横軸部材とによって、長方形の旗を支持する構造となっている。このような比較的大型ののぼり旗は、多くの場合、屋外に設置されている。
【０００３】
また、商品陳列棚や卓上に並べるための、高さ数十センチメートルの小型のぼり旗が知られている。小型のぼり旗は、公共施設や金融機関のカウンターに設置されたり、飲食店の卓上に並べられたりして、装飾、告知、宣伝広告等に用いられている。
【０００４】
屋外に設置されるのぼり旗は、旗が風にはためくことで、見る人の注意を喚起することができる。しかし、屋内に設置したのぼり旗は、動きが少なく多くの場合静止しているために、注目されにくい。
【０００５】
屋内に設置した装飾品に、風にはためくような動作を与える技術が、種々検討されている。特許文献１には、自然な翩翻感を創出するための屋内鯉のぼり翩翻装置が開示されている。特許文献１の屋内鯉のぼり翩翻装置は、電動モータと複数の伝達機構によって、支柱の一定角度範囲の回動運動と、鯉のぼりの上下運動と、個々の鯉のぼりが交互に逆向きとなる首振り運動を与えている。
【０００６】
電動モータによって、鯉のぼりと同様に、小型のぼり旗を動かすことが可能である。しかしながら、モータを動かすには電力が必要であり、電力供給が止まると、のぼり旗の動きが止まってしまう。また、モータを使用する構造が複雑になり、装置全体が高価なものとなる。
【先行技術文献】
【特許文献】
【０００７】
【特許文献１】特開２０１１−９２６８８公報
【考案の概要】
【考案が解決しようとする課題】
【０００８】
本考案は、上記課題に鑑みてなされたものであり、より簡易な機構によって風にはためくように動く屋内設置用の小型ののぼり旗の提供を、解決すべき課題としてなされたものである。
【課題を解決するための手段】
【０００９】
本考案ののぼり旗は、支柱と、支柱と直交するように取り付けられる横軸部材と、横軸部材の端部に配置されて、横軸部材を支柱の上部に配置する支柱取付部材と、支柱と横軸部材とに取り付けられる旗部と、を備えている。本考案ののぼり旗の支柱は、径の大きい支柱下部と径の小さい支柱上部との間に段差が設けられており、上端部に磁石が固定されている。支柱取付部材は、支柱上部の少なくとも一部を覆うカバー部と、カバー部に収容された磁石と、を備えている。本考案ののぼり旗は、支柱の上端部の磁石と支柱取付部材の磁石とが、同じ磁極が向かい合って対をなすように配置されており、対をなした前記磁石の反発力によって支柱の上端部の磁石と支柱取付部材の磁石との間に空間が形成されていることを特徴とする。
【００１０】
支柱の上端部と横軸部材の支柱取付部材との間に、磁石の反発力によって空間が形成されていることによって、横軸部材は、支柱に対する上下動が可能となっている。旗部が、外部から微風を受けた場合、旗部と横軸部材は連動して上下に動き、風にはためくように動作する。
【００１１】
本考案ののぼり旗の支柱取付部材は、カバー部に嵌め合わされて、横軸部材を支持するヘッド部をさらに備えており、ヘッド部の下端部に磁石が固定されていることが好ましい。さらに、カバー部が支柱上部を覆う円筒形状を有していて、カバー部の外径が、支柱下部の直径と同一に形成されていることが好ましい。
【００１２】
本考案ののぼり旗の支柱は長さ２００〜５００ｍｍであり、支柱下部の直径が５ｍｍ〜１２ｍｍ、支柱上部の直径が４ｍｍ〜１０ｍｍの断面円形の支柱であることが好ましい。また、旗部は、長さ１５０ｍｍ〜４５０ｍｍ、幅５０〜２００ｍｍの長方形であることが好ましい。
【考案の効果】
【００１３】
本考案ののぼり旗は、上端部と横軸部材の支柱取付部材との間に空間が形成されていることによって、横軸部材が、支柱に対して上下に動くことが可能となっている。旗部が、外部から微風を受けた場合、旗部と横軸部材とが連動して上下に動き、風にはためくように動作する。屋内では、空調装置や人の通過によって微風が発生するので、本考案ののぼり旗は、絶え間なくはためいて、注目を集めることができる。
【００１４】
本考案ののぼり旗は、外部からエネルギーを供給することなく、半永久的に動作することができる。また、モータ等を必要としないために、非常に簡単な構造で安価にのぼり旗を提供することができる。
【図面の簡単な説明】
【００１５】
【図１】図１は、実施形態ののぼり旗の正面図である。
【図２】図２は、実施形態ののぼり旗の支柱と横軸部材の取り付け位置の部分拡大図である。
【考案を実施するための形態】
【００１６】
以下、本考案ののぼり旗の最も好適な実施形態について、図面を参照しつつ説明する。図１に好適な実施形態ののぼり旗の正面図を示し、図２にのぼり旗の支柱と横軸部材の取り付け位置の部分拡大図を示す。本実施形態ののぼり旗１は、支柱２と、横軸部材３と、支柱取付部材４と旗部５と、を備えている。
【００１７】
支柱２は円柱状の部材であり、径の大きい支柱下部２１と径の小さい支柱上部２２とを備えている。支柱下部２１と支柱上部２２との間には、段差２３が形成されている。支柱２の上端部に、支柱上部２２と同一の直径を有する、円盤状の磁石６ａが固定されている。支柱２は、木材、樹脂、紙、金属等の任意の硬質材料で形成することができる。
【００１８】
横軸部材３は、支柱２の上部に、支柱２と直交するように配置される。横軸部材３は、支柱２よりも細い棒材で形成されており、一端部に、支柱２に横軸部材３を取り付けるための支柱取付部材４が配置されている。横軸部材３は、木材、樹脂、紙、金属等の任意の硬質材料で形成することができる。
【００１９】
支柱取付部材４は、円筒状のカバー部４１と、カバー部４１の上端部に嵌め合わされるヘッド部４２を備えている。ヘッド部４２は、全体が円柱状に形成されており、半径方向に、横軸部材３を貫通させるための貫通孔が開口している。横軸部材３を支柱取付部材４の貫通孔に挿入し、ピンや螺子などの固定具４３で固定するにことによって、横軸部材３に支柱取付部材４を取り付けることができる。
【００２０】
支柱取付部材４のヘッド部４２の下端部に磁石６ｂが固定されている。磁石６ｂは、磁石６ａと同一の直径を有する円盤状の磁石である。
【００２１】
支柱取付部材４のカバー部４１の内径は支柱上部２２の外径よりも大きく形成されており、カバー部４１は支柱上部２２の少なくとも一部の外周を覆うことができる。カバー部４１が支柱上部２２を覆うとき、支柱上部２２とカバー部４１との間には、所定の距離が保たれて、隙間が空いた状態でることが好ましい。
【００２２】
支柱取付部材４のカバー部４１の外径は、支柱下部２１の直径と同一であることが好ましい。カバー部４１の外径と、支柱下部２１の直径とが同一であることで、カバー部４１が不必要に目立つことがない。同時に、以下に述べるとおり、旗部５の支柱挿通部５２がカバー部４１と支柱２との境界に引っかかることがなく、のぼり旗１全体の美観が保たれる。
【００２３】
支柱２の上端部の磁石６ａと、ヘッド部４２の下端部の磁石６ｂとは、同じ磁極が向かい合って対をなすように配置されており、対をなした磁石の反発力によって磁石６ａと磁石６ｂとの間に、静置時に距離Ｓとなる空間が形成される。従って、横軸部材３と支柱取付部材４は、支柱２に固定されるのではなく、カバー部４１が支柱上部２２に係止された状態で配置される。カバー部４１は、静止状態のとき、支柱上部２２の一部を覆う一方で、段差２３には到達しない長さを有している。
【００２４】
本実施形態では、旗部５は、長方形の旗本体５１を有している。旗本体５１の一方の長辺に環状の支柱挿通部５２が設けられており、一方の短辺に横軸挿通部５３が設けられている。使用時には、支柱挿通部５２に支柱２を通し、横軸挿通部５３に横軸部材３を通すことで、支柱２と横軸部材３によって旗部５が支持され、のぼり旗１として使用可能な状態となる。なお、最上部と中央部の支柱挿通部５２は、実際には、支柱上部２２を覆うカバー部４１の外側に配置されることになる。複数の支柱挿通部５２がカバー部４１に支持されることで、カバー部の４１の動作に合わせて旗部５が左右に揺れて、より自然な動きとなる。
【００２５】
旗本体５１の形状は、支柱挿通部５２と横軸挿通部５３を取り付けることができるのであれば、長方形以外の任意の形状にすることができる。また、旗部５は、布、樹脂シート、紙等のシート状の任意の材料を使用することができる。旗本体５１に文字や図形を記載することで、宣伝広告や告知を行うことができる。
【００２６】
好適には、のぼり旗１は、支柱２の下端部を任意の台座７に取り付けて使用することができる。また、支柱の下端部を固定する治具を用いれば、壁面などにも固定することが可能である。のぼり旗１は、支柱２から支柱取付部材４が抜け落ちない範囲の任意の角度で、固定して使用することができる。
【００２７】
本実施形態において、支柱２は、長さが２００〜５００ｍｍ、支柱下部２１の直径が５ｍｍ〜１２ｍｍ、支柱上部２２の直径が４ｍｍ〜１０ｍｍの範囲の大きさであることが好ましい。また、旗部５は、長さ１５０ｍｍ〜４５０ｍｍ、幅５０〜２００ｍｍの長方形であることが好ましい。この寸法は、磁石６ａ，６ｂの反発力によって、支柱２と支柱取付部材４との間に好ましい距離が維持される大きさであり、結果として、微風で旗部５がはためくことに適した大きさである。
【００２８】
磁石６ａ，６ｂには、ネオジム、鉄、ホウ素を主成分とするネオジウム磁石を用いることが好ましい。本実施形態では、ネオジウム磁石をニッケルなどでメッキして、錆の発生を防いだ状態で使用している。表面磁束密度で２００〜４００ミリテラス・２０００〜４０００ガウスの磁力の磁石６ａ，６ｂを使用することによって、磁石６ａと磁石６ｂの距離を、好適に保つことができる。
【００２９】
本実施形態ののぼり旗１の作用効果について説明する。屋内に設置されたのぼり旗１は、磁石６ａと磁石６ｂとの反発力によって、支柱２に対して横軸部材３と旗部５とが固定されていない状態で静止する。このため、人の通過や空調機の風などのわずかな空気の動きによって、横軸部材３と旗部５とが、支柱２に対して上下に揺れ動く。ここで、大きな外力が加わって支柱取付部材４が押し下げられたような場合であっても、カバー部４１の下端部が支柱２の段差２３に突き当たることで、それ以上に旗部５が降下することが防止される。外力が取り除かれると、横軸部材３と旗部５とは、磁石６ａと磁石６ｂとの反発力によって、再び上下の動きを継続する。
【００３０】
さらに、本実施形態では、カバー部４１の内径と支柱上部２２の外径との差が０．２ｍｍ以上２．０ｍｍ以下であることによって、旗本体５１が、風にはためくように水平方向に揺れる動作をくりかえすことができる。カバー部４１の内径と支柱上部２２の外径との差が２ｍｍよりも大きい場合、カバー部４１と支柱２との距離が２ｍｍよりも大きくなるような動きが発生するので、微風を受けるとカバー部４１が傾いて支柱上部２２と接触し、風にはためくような動作が発生しにくい。また場合によっては、支柱２を中心にして横軸部材３と旗部５とが回転してしまい、このときも、風にはためくような動作が発生しにくい。一方で、カバー部４１の内径と支柱上部２２の外径との差が０．２ｍｍよりも小さい場合、旗部５の横方向の揺れは極めて小さくなる。カバー部４１の内径と支柱上部２２の外径との差が０．２ｍｍ以上２．０ｍｍ以下であるときの上下動と水平方向の揺れが、のぼり旗１の風にはためくような動作となって、人目をひく効果をもたらす。
【実施例】
【００３１】
屋内での試験によって、風にはためくような効果が得られたのぼり旗１の例を、以下に示す。
【００３２】
直径１０ｍｍの支柱２を用い、台座７を取り付けて、支柱２を水平面に対して垂直に立てた。そして、直径３ｍｍの横軸部材３を支柱取付部材４に取り付けて、磁石６ａと磁石６ｂの静止時の距離が１５〜２０ｍｍとなるように調整した。
【００３３】
のぼり旗１の３種類のサンプルを用いて、屋内でののぼり旗１の動作を観察した。サンプルの寸法の詳細は以下の通りである。
高さ３０４ｍｍの支柱２と長さ１００ｍｍの横軸部材３に、幅７０ｍｍ、高さ２１０ｍｍの布製の旗部５をとりつけたサンプル１。
高さ３５４ｍｍの支柱２と長さ１２０ｍｍの横軸部材３に、幅９０ｍｍ、高さ２７０ｍｍの布製の旗部５をとりつけたサンプル２。
高さ４０４ｍｍの支柱２と長さ１４０ｍｍの横軸部材３に、幅１００ｍｍ、高さ３００ｍｍの布製の旗部５をとりつけたサンプル３。
【００３４】
その結果、サンプル１〜３の全てについて、人が傍らを通過する程度の微風で上下動と水平方向の揺れを起こし、風にはためくような効果が視認された。
【００３５】
以上、好適なのぼり旗の実施例を説明したが、ここで示したのぼり旗１の寸法や形状は例示を目的としたものであり、実用新案登録請求の範囲を限定することを意図したものではない。実用新案請求の範囲には、実施例を種々変形し、応用したのぼり旗が含まれる。たとえば、旗部５の形状は、動物や植物の形を模したものであっても良い。また、横軸部材と旗部とを接着等であらかじめ一体化しておくことも可能である。
【産業上の利用可能性】
【００３６】
本考案ののぼり旗は、屋内の観光施設や官公庁のカウンターに設置したり、各種店舗や飲食店の卓上に並べることで、装飾、告知、宣伝広告等に好適に使用することができる。
【符号の説明】
【００３７】
１    のぼり旗
２    支柱
３    横軸部材
４    支柱取付部材
５    旗部
６ａ，６ｂ    磁石
７    台座
【図１】
0003229707.tif 000003
【図２】
0003229707.tif 000004